(57)【要約】      （修正有）【課題】殺菌効果が倍増する紫外線を利用して殺菌するマウス装置を提供する。【解決手段】マウス装置２２の外表面には導光層２３を備え、導光層上には少なくとも１つの発光体を設け、発光体はマウス装置が供給する電源を利用して、外に向けて紫外線を放出し、紫外線は導光層に導かれてマウス装置の外表面に拡散し、殺菌効果を達成する。また、光触媒層を導光層上方に組み合わせて使用する。【選択図】図１
0003157026.tif 000002
【実用新案登録請求の範囲】
【請求項１】
マウス装置と、
前記マウス装置の外表面に位置する導光層と、
前記導光層上に位置し、紫外線を放出することができ、前記マウス装置が供給する電源を利用して、外側に向かって紫外線を放出し、紫外線は前記導光層に導かれて前記マウス装置の外表面に拡散し、殺菌効果を達成する少なくとも１つの発光体と、を含むことを特徴とする、
紫外線を利用して殺菌するマウス装置。
【請求項２】
前記発光体は少なくとも１つのＬＥＤ電球、或いは、ライトチューブであることを特徴とする、請求項１に記載の紫外線を利用して殺菌するマウス装置。
【請求項３】
更に前記マウス装置の外表面上に位置するスイッチを含み、前記スイッチと前記発光体は接続し、前記スイッチがオンであり、ユーザーがマウス装置を使用している時、前記発光体は外に向けての紫外線放出を停止し、ユーザーがマウス装置を使用しなくなってから前記発光体が外に向けて紫外線を放出し、スイッチがオフの時は前記発光体は紫外線を放出できないことを特徴とする、請求項１に記載の紫外線を利用して殺菌するマウス装置。
【請求項４】
更に、前記導光層の内表面に位置するプリズム部を含むことを特徴とする、請求項１に記載の紫外線を利用して殺菌するマウス装置。
【請求項５】
更に、前記導光層の外表面に位置する光触媒層を含むことを特徴とする、請求項１に記載の紫外線を利用して殺菌するマウス装置。
【請求項６】
前記導光層は、前記発光体を装備するのに用いるための少なくとも１つの凹溝を設けることを特徴とする、請求項１に記載の紫外線を利用して殺菌するマウス装置。
【請求項７】
前記凹溝は前記導光層の腰部位置を取り巻くように位置することを特徴とする、請求項６に記載の紫外線を利用して殺菌するマウス装置。
【請求項８】
前記発光体は複数あり、前記凹溝に沿って排列して設置されていることを特徴とする、請求項７に記載の紫外線を利用して殺菌するマウス装置。
【請求項９】
更に、前記凹溝上方に設置され前記発光体を覆い、前記発光体の紫外線を容易に前記導光層方向に拡散させる遮光層を含むことを特徴とする、請求項６に記載の紫外線を利用して殺菌するマウス装置。
【請求項１０】
前記導光層の材質はアクリル或いは無鉛ガラスであることを特徴とする、請求項１に記載の紫外線を利用して殺菌するマウス装置。
【請求項１１】
前記導光層の厚さが０．１〜０．８ｃｍであることを特徴とする、請求項１に記載の紫外線を利用して殺菌するマウス装置。
【考案の詳細な説明】
【技術分野】
【０００１】
本考案はマウス装置に関するものであって、特に紫外線及び光触媒を利用して殺菌を行うマウス装置に関するものである。
【背景技術】
【０００２】
コンピュータは既に仕事や学習などで最も多く使用する作業プラットフォームとなっている。ユーザーは手でマウスを操作するがマウスを長時間使用するとマウスに人体に有害な細菌が繁殖し易く、使用する上でかなり不衛生である。よく見られる対処法はマウスをアルコール或いは水で拭く方法であるが、この種の方法はとても不便で、マウスの清潔さを保つことができない。
【０００３】
本考案は上述した問題を解決するために紫外線を利用して殺菌するマウス装置を提供する。
【考案の概要】
【考案が解決しようとする課題】
【０００４】
本考案の主な目的は、紫外線を利用して殺菌するマウス装置を提供することにあり、マウス装置上に導光層を設け、マウス装置中の発光体が放出する紫外線を導いて拡散させ、殺菌効果を達成する。
【課題を解決するための手段】
【０００５】
本考案の提供する紫外線を利用して殺菌するマウス装置は、マウス装置を含み、マウス装置の外表面には導光層を備え、少なくとも１つの発光体を導光層上に設け、発光体はマウス装置が供給する電源を利用して、外側に向かって紫外線を放出し、紫外線が導光層を経て導かれて拡散した時、紫外線はマウス装置の外表面に均一に分散し、殺菌効果を達成する。また、導光層上方に光触媒層を設けて組み合わせることもでき、紫外線は光触媒層の作用により、殺菌力や菌抑制力が更に高まる。
【考案の効果】
【０００６】
本考案は、マウス装置中の発光体が放出する紫外線が導光層を経て拡散することで、殺菌効果が得られる。また、導光層上方に光触媒層設けて組み合わせることもでき、紫外線は光触媒層の作用により、殺菌力や菌抑制力が更に高まる。
【図面の簡単な説明】
【０００７】
【図１】本考案の第一実施例の立体構造図。
【図２】本考案の第一実施例の断面図。
【図３】本考案の第二実施例の立体構造図。
【図４】本考案の第三実施例の立体構造図
【図５】本考案の第四実施例の立体構造図
【図６】本考案の第四実施例の断面図。
【図７】本考案の第五実施例の立体構造図
【考案を実施するための形態】
【０００８】
本考案の目的、技術的特徴、特色、効果の理解のために、図面を参照しながら、実施例を挙げて以下に説明する。
【実施例】
【０００９】
本考案の第一実施例である図１と図２はを参照すると、紫外線を利用して殺菌するマウス装置２０は、マウス装置２２を備える。
このマウス装置２２は一般市場で見られる基本的なマウス構造を有する。
マウス装置２２のハウジングは様々な色や図柄を採用できるプラスチックハウジングである。
マウス装置２２の外表面部分には導光層２３を設ける。導光層２３の厚さは約０．１〜０．８ｃｍであり、導光層２３の材質はアクリル或いは無鉛ガラスを選択できる。
また、導光層２３上に凹溝２３１を設け、それは導光層２３の腰部位置を取り巻くように、凹溝２３１中に嵌設した少なくとも１つの発光体を備える。
【００１０】
本考案では多数の発光体を用いた例を挙げる。
本実施例の発光体はＬＥＤ電球２８であり、凹溝２３１に沿って導光層２３の腰部位置に配列する。
ＬＥＤ電球２８は紫外線を放出することができる。
ＬＥＤ電球２８はマウス装置２２が供給する電源を利用して、外側に向かって紫外線３０を放出する。
紫外線３０は導光層２３によって導かれマウス装置２２の外表面に沿って拡散する。
また、本実施例中、凹溝２３１の上方は遮光層２５を利用してＬＥＤ電球２８を覆い、ＬＥＤ電球２８の放出する紫外線３０が容易に導光層２３の方向へ拡散するようにし、紫外線３０をマウス装置２２のハウジング２２１の外表面に均一に分散させることができ、安全で、環境にやさしく、無公害で、人体に無害な紫外線殺菌を行える。
そして、マウス装置２２外表面の殺菌を減少させ、ユーザーのアレルギー現象を防止することも可能である。
【００１１】
遮光層２５は凹溝２３１に嵌入し、その高さは凹溝２３１の上面部分と平らになるように設計される。導光層２３は一体感を成し、外観及びユーザーの手触りにおいて凹凸感が生じない。
【００１２】
マウス装置２２の外表面上にスイッチ３２を設ける。
スイッチ３２はＬＥＤ電球２８と接続し、スイッチ３２がオンの時で、且つユーザーがマウス装置２２を使用している時、ＬＥＤ電球２８は外に向かって紫外線３０を放出するのを停止し、ユーザーがマウス装置を使用しなくなってから、ＬＥＤ電球２８は外に向かって紫外線３０を放出し、殺菌を行う。スイッチ３２がオフの時はＬＥＤ電球２８は紫外線３０を放出することができない。
【００１３】
図３は本考案の第二実施例であり、第一実施例と異なるのは、導光層２３の外表面部分に光触媒層２６を設けているところである。
光触媒（photocatalyst）は一種の「光エネルギーを利用して、触媒作用を促す物質」である。
まず光触媒を導光層２３の外表面に塗布或いは噴射して薄膜層を形成する。
ＬＥＤ電球２８が紫外線３０を放出して殺菌を行うとき、同時に、紫外線３０の光エネルギーによって光触媒層２６とマウス装置２２の外表面に付着した細菌の酸化或いは還元作用を生じさせることで、殺菌、菌抑制の目的を達成する。
【００１４】
図４は本考案の第三実施例であり、上述の実施例と異なるのは、発光体として複数のライトチューブ３６を備えるところである。
【００１５】
図５と図６は本考案の第四実施例であり、導光層２３の内表面部分を示し、プリズム部２４を設けることで、紫外線３０がプリズム部２４を通過する時屈折が起こり、ＬＥＤ電球２８が放出した紫外線３０をマウス装置２２の外表面に均一に分散させるのを助ける。
【００１６】
図７は本考案の第五実施例であり、上述の第四実施例と異なるのは、発光体として複数のライトチューブ３６を備えるところである。
【００１７】
上述では本考案の好ましい実施例を開示したにすぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００１８】
２０  紫外線を利用して殺菌するマウス装置
２２  マウス装置
２３  導光層
２３１  凹溝
２４  プリズム部
２５  遮光層
２６  光触媒層
２８  ＬＥＤ電球
３０  紫外線
３２  スイッチ
３６  ライトチューブ
【図１】
0003157026.tif 000003
【図２】
0003157026.tif 000004
【図３】
0003157026.tif 000005
【図４】
0003157026.tif 000006
【図５】
0003157026.tif 000007
【図６】
0003157026.tif 000008
【図７】
0003157026.tif 000009